(57)【要約】【課題】土嚢の製造に際して、土嚢袋の装着時における土嚢投入口の開口状態を一定に維持することが簡単にできる製造器具を提供する。【解決手段】所定大きさのリング状枠体１に、前記リング状枠体を所定高さに維持する脚部２を、適宜間隔で３本以上を下設すると共に、脚部の最上部を、リング状枠体の内方に突出する凹部４を備えるように形成し、脚部２の下端部をリング状足枠体３に連結してなり、土嚢袋をリング状枠体内にさし入れ、袋の開口部をリング状枠体の外周側に折り返し、土嚢袋の紐体を引っ張ると、紐通し部分（袋開口部）と紐体が前記凹部４によって一定の範囲で窄められ。【選択図】  図１
0003119718.tif 000002
【実用新案登録請求の範囲】
【請求項１】
所定大きさのリング状枠体に、前記リング状枠体を所定高さに維持する脚部を、適宜間隔で３本以上を下設すると共に、脚部の最上部を、リング状枠体の内方に突出する凹部を備えるように形成してなることを特徴とする土嚢製造具。
【請求項２】
リング状足枠体を備え、脚部の下端部を連結してなる請求項１記載の土嚢製造具。
【請求項３】
脚部が４本である請求項２記載の土嚢製造具。
【請求項４】
リング状枠体、脚部、リング状脚枠体を金属杆で形成すると共に、脚部上端部をリング状枠体の内周面に溶着し、脚部下端部をリング状足枠体の上面に溶着してなる請求項２又は３記載の何れかの土嚢製造具。
【考案の詳細な説明】
【技術分野】
【０００１】
本考案は、土嚢製造具に関するものである。
【背景技術】
【０００２】
土嚢は、適宜な袋体に土を充填しその開口部を閉塞し形成するものであり、特にその開口部の閉塞に便利なように、図５に例示するように袋体Ａの開口部ａに紐通しｂを形成すると共に、この紐通しｂに適宜な紐体ｃを通してなり、袋体Ａに土を充填した後に紐体ｃで開口部ａを窄め、適当に結着して開口部ａの閉塞を行っている。
【０００３】
ところで前記の袋体Ａを使用しての土嚢製造は、一人が袋体Ａの開口部ａを拡げた状態で持ち、他の人がショベル等で袋体Ａ内に土を入れて行っているが、一人で簡単に作業ができるように従前より土嚢袋を開口状態で維持する製造具が種々提案されている。
【０００４】
例えば特許文献１（実開平６−７６０１０号公報）及び特許文献２（登録実用新案３０４２６６８号公報）には、所定脚部で支持した柱体にリング状枠体を横方向に突設し、柱体に紐止め部を設けてなる器具が開示されている。
【０００５】
前記の器具は、上部のリング状枠体内に土嚢袋Ａを差し入れて、開口部ａをリング状枠体の外周側に折り返し、紐体ｃによって開口部ａを僅かに窄めて、紐体ｃを紐止め部に係止し、当該状態で土嚢袋Ａ内に土壌を投入するようにしているものである。
【０００６】
また特許文献３（特許２９３９８８０号公報）には、上部に略円形の取付部（リング状枠体と対応）を設けた中空錐台からなる保持体と、前記取付部への係合部を設けた止具とで構成し、取付部に土嚢袋Ａの開口部を折り返し装着し、上方から止具の係合部の弾性力で、袋の開口部を着脱可能に取付部と固定する器具が開示されている。
【０００７】
【特許文献１】実開平６−７６０１０号公報。
【特許文献２】登録実用新案３０４２６６８号公報。
【特許文献３】特許２９３９８８０号公報。
【考案の開示】
【考案が解決しようとする課題】
【０００８】
前記の各土嚢袋を開口維持する特許文献１，２に開示されている土嚢製造具は、土嚢袋の開口はリング状枠体での折り返しで確保されているが、土壌投入作業時に、この折り返し部分がリング状枠体から分離してしまわないように、紐体によって折り返した開口部を予め適宜範囲で窄めておく必要があり、この窄めた範囲が実質的な土壌投入口となる。
【０００９】
然し前記の各土壌製造具は、紐体の窄め状態を設定する機能が無いので、全て目分量による調整装着になってしまい、窄め量が少ないと土嚢袋の折り返し部分がリング状枠体部から分離してしまうし、窄め量が大きいと土壌投入口が小さくなって、効率的な土嚢製造作業ができない。
【００１０】
また特許文献３記載の土壌製造具は、土壌投入口は常に一定の開口状態を維持することになり、前記した特許文献１，２記載の器具の問題点は解消している。
【００１１】
しかし保持体と止具の二つの部材から構成され、土嚢袋の装着毎に止具の着脱が必要であり、且つ当該止具は弾性力で係止を実現しているものであるから、経年変化による弾力性の低下によって、係止能力が落ちてしまうと、保持体も含めた器具自体が土壌製造に使用することができない構造となっている。
【００１２】
そこで本考案は、土嚢袋の装着時の土嚢投入口の開口状態を一定に維持することが簡単に実現する新規な土嚢製造具を提案したものである。
【課題を解決するための手段】
【００１３】
本考案に係る土嚢製造具は、所定大きさのリング状枠体に、前記リング状枠体を所定高さに維持する脚部を、適宜間隔で３本以上を下設すると共に、脚部の最上部を、リング状枠体の内方に突出する凹部を備えるように形成してなることを特徴とするものである。
【００１４】
従って土嚢袋をリング状枠体内にさし入れ、袋の開口部をリング状枠体の外周側に折り返し、土嚢袋の紐体を引っ張ると、紐通し部分（袋開口部）と紐体が凹部によって一定の範囲で窄められると共に、紐体を脚部に縛りつけたり、又は紐体と紐通しの摩擦力で、土嚢袋は一定の開口状態を維持して土嚢製造具に装着され、当該状態で土壌の投入を行なって土嚢を製造する。
【考案の効果】
【００１５】
本考案の土嚢製造具の構成は上記の通りであるから、簡単な操作で、土嚢袋の装着時の土壌投入口の開口状態を一定に維持することができるので、土嚢製造作業が効率的に実施することができるものである。
【考案を実施するための最良の形態】
【００１６】
次に本考案の実施の形態について説明する。実施形態に示した土嚢製造具は、リング状枠体１と、脚部２と、リング状足枠体３とで構成される。
【００１７】
リング状枠体１と、脚部２と、リング状足枠体３は、各々金属杆で形成されるもので、リング状枠体１は、所定の大きさ（土嚢袋Ａの開口部ａの大きさより僅かに小さくした大きさ）の円環形状としたものである。
【００１８】
脚部２は、４本で構成され、脚部上端部をリング状枠体１の内周面に溶着し、脚部下端部をリング状足枠体３の上面に溶着して、リング状枠体１を所定高さに維持すると共に、脚部２の最上部を、リング状枠体１の内方に突出する凹部４を備えるように形成してなる。
【００１９】
リング状足枠体３は、リング状枠体１と対応する形状として、器具の安定性からリング状枠体１よりも大きく形成したものである。
【００２０】
而して前記器具を使用して土嚢を作るには、図５に示した土嚢袋Ａを、リング状枠体１内にさし入れ、土嚢袋Ａの開口部ａをリング状枠体１の外周側に折り返し、その状態で土嚢袋Ａの紐体ｃを引っ張ると、紐通し部ｂ（袋開口部ａ）と紐体ｃが、凹部４の外周で止まり、紐体ｃの端部は近傍の脚部２に縛り付けたり、又は紐体ｃと紐通し部ｂの摩擦力で、土嚢袋は土壌投入口ｄが所定の開口状態で器具に装着されることになる。
【００２１】
そこで土壌Ｂを前記開口状態の土壌投入口ｄから投入し、土壌袋Ａに所定の土壌Ｂが充填されると、紐体ｃを緩め、脚部２の間から土嚢袋Ａを取り出し、開口部ａを塞いで土嚢とするものである。
【００２２】
また本考案は前記の実施形態に限定されるものではなく、リング状枠体１を円環形状とせずに図４に例示するような四辺形リングとしても良く、そのような場合には、各隅部に対応して脚部を設ける必要がある。
【００２３】
また脚部の数も最低３本が必要であり、例示した４本が好ましいが５本以上であっても差し支えない。
【図面の簡単な説明】
【００２４】
【図１】本考案の実施形態の全体図。
【図２】同使用状態の説明図（全体斜視図）。
【図３】同使用状態の説明図（一部切断した正面図）。
【図４】本考案の別の実施形態の全体図。
【図５】本考案が使用する土嚢袋の全体図。
【符号の説明】
【００２５】
１      リング状枠体
２      脚部
３      リング状足枠体
４      凹部
【図１】
0003119718.tif 000003
【図２】
0003119718.tif 000004
【図３】
0003119718.tif 000005
【図４】
0003119718.tif 000006
【図５】
0003119718.tif 000007